(57)【特許請求の範囲】
【請求項１】
箱状であり、複数の操作ボタンを備える操作部が設けられる上面と、下面と、長手方向前方の前端面と、長手方向後方の後端面と、前記長手方向に直交する方向である幅方向左側の左端面と、幅方向右側の右端面と、を有する本体と、
前記本体の前記前端面の近傍において、前記前端面に対して垂直な方向に先端が向くように設けられる、第１および第２の信号送信用光源と、
前記本体の前記前端面の近傍かつ前記第１、第２の信号送信用光源の近傍において、前記前端面に対して垂直な方向に先端が向くように設けられる、前方照明用の補助光源と、
前記本体の前記補助光源の近傍において、前記補助光源の光が、前記第１、第２の信号送信用光源の側に漏れるのを防止する遮光壁と、
を有し、
前記補助光源は、前記本体の前記前端面の、前記幅方向における中央に配置され、かつ、前記第１、第２の信号送信用光源は、前記前端面において前記補助光源を挟んで配置され、
前記遮光壁は、前記前端面側が開口し、かつ前記補助光源を取り囲む円筒形状の筒体本体を備え、前記筒体本体は、前記前端面の中央に位置する前記補助光源と、前記補助光源の左側および右側に位置する前記第１、第２の信号送信用光源の各々と、を隔てるリモコン送信器。
【請求項２】
請求項１に記載のリモコン送信器において、
前記第１の信号送信用光源の近傍において、前記本体の前記上面に対して垂直な方向に先端が向くように設けられる、第３の信号送信用光源と、
前記第２の信号送信用光源の近傍において、前記本体の前記上面に対して垂直な方向に先端が向くように設けられる、第４の信号送信用光源と、
を有するリモコン送信器。
【請求項３】
請求項１または請求項２に記載のリモコン送信器において、
前記遮光壁は、基端部が前記筒体本体に固定され、かつ前記筒体本体の外周面に沿って湾曲する一対のアームを有し、
前記筒体本体は、前記アームの弾性力によって前記本体に保持されるリモコン送信器。
【請求項４】
請求項３に記載のリモコン送信器において、
前記筒体本体の、前記補助光源側の面である内面、および前記内面とは反対側の面である外面のうちの少なくとも一方は暗色であるリモコン送信器。
【発明の詳細な説明】
【技術分野】
【０００１】
本発明は、例えば照明器具等を操作するリモコン送信器に関するものである。
【背景技術】
【０００２】
従来より、リモコン送信器を用いて配光を調整する照明器具が知られている（例えば、特許文献１参照）。
図６に示すように、特許文献１に記載の照明器具（図示省略）を操作するリモコン送信器１００は、矩形箱状を呈するリモコン本体１０１を有する。このリモコン本体１０１には、照明器具の明るさを調整するスイッチ１０２、１０３と、照明器具等にリモコン信号を発する送信部１０４が設けられている。
【０００３】
また、リモコン本体１０１における送信部１０４とは反対側の端部には、暗所にて手元を照明できる補助光源１０５が設けられている。この補助光源１０５には、ＬＥＤ光源が用いられており、リモコン本体１０１には補助光源１０５の明るさを調整するスイッチ１０６が設けられている。補助光源１０５は、照明器具が消灯している場合のみ点灯可能となっている。
【先行技術文献】
【特許文献】
【０００４】
【特許文献１】特開２００５−６３７４２号公報（第２図）
【発明の概要】
【発明が解決しようとする課題】
【０００５】
しかしながら、前述した特許文献１に記載のリモコン送信器１００では、操作側面に信号送信用のＬＥＤが実装されている場合には、補助光源１０５の光が透過して、信号送信用ＬＥＤが点灯していないにもかかわらず、信号送信用ＬＥＤが点灯しているように見えるという問題があった。
また、補助光源１０５を点灯させた場合、使用されるのが暗所であるため、補助光源１０５の光がリモコン本体１０１を透過して目立ってしまうという問題があった。
【０００６】
本発明は、従来の問題を解決するためになされたもので、補助光源を点灯させたときの光の漏れを防止して、点灯していないにもかかわらず信号送信用ＬＥＤが点灯しているように見える違和感を改善できるリモコン送信器を提供することを目的とする。
【課題を解決するための手段】
【０００７】
本発明のリモコン送信器は、箱状であり、複数の操作ボタンを備える操作部が設けられる上面と、下面と、長手方向前方の前端面と、長手方向後方の後端面と、前記長手方向に直交する方向である幅方向左側の左端面と、幅方向右側の右端面と、を有する本体と、前記本体の前記前端面の近傍において、前記前端面に対して垂直な方向に先端が向くように設けられる、第１および第２の信号送信用光源と、前記本体の前記前端面の近傍かつ前記第１、第２の信号送信用光源の近傍において、前記前端面に対して垂直な方向に先端が向くように設けられる、前方照明用の補助光源と、前記本体の前記補助光源の近傍において、前記補助光源の光が、前記第１、第２の信号送信用光源の側に漏れるのを防止する遮光壁と、を有し、前記補助光源は、前記本体の前記前端面の、前記幅方向における中央に配置され、かつ、前記第１、第２の信号送信用光源は、前記前端面において前記補助光源を挟んで配置され、前記遮光壁は、前記前端面側が開口し、かつ前記補助光源を取り囲む円筒形状の筒体本体を備え、前記筒体本体は、前記前端面の中央に位置する前記補助光源と、前記補助光源の左側および右側に位置する前記第１、第２の信号送信用光源の各々と、を隔てるものである。
【０００８】
また、本発明のリモコン送信器は、前記第１の信号送信用光源の近傍において、前記本体の前記上面に対して垂直な方向に先端が向くように設けられる、第３の信号送信用光源と、前記第２の信号送信用光源の近傍において、前記本体の前記上面に対して垂直な方向に先端が向くように設けられる、第４の信号送信用光源と、を有するものである。
【０００９】
また、本発明のリモコン送信器は、前記遮光壁は、基端部が前記筒体本体に固定され、かつ前記筒体本体の外周面に沿って湾曲する一対のアームを有し、前記筒体本体は、前記アームの弾性力によって前記本体に保持されるものである。
【００１０】
さらに、本発明のリモコン送信器は、前記筒体本体の、前記補助光源側の面である内面、および前記内面とは反対側の面である外面のうちの少なくとも一方は暗色であるものである。
【発明の効果】
【００１１】
本発明は、補助光源の周囲に設けられた遮光壁が、補助光源からの光が送信部に漏れるのを防止するので、送信部の信号送信用ＬＥＤを点灯させていないにもかかわらず、信号送信用ＬＥＤが点灯しているように見える違和感を改善できるという効果を有するリモコン送信器を提供できる。
【図面の簡単な説明】
【００１２】
【図１】（Ａ）は本発明に係る第１実施形態のリモコン送信器を上方から見た全体斜視図であり、（Ｂ）は下方から見た全体斜視図
【図２】（Ａ）は図１（Ａ）中ＩＩ方向から見た端面図であり、（Ｂ）は（Ａ）中Ｂ−Ｂ位置の断面図
【図３】（Ａ）は本発明に係る第２実施形態のリモコン送信器の端面図であり、（Ｂ）は（Ａ）中Ｂ−Ｂ位置の断面図
【図４】（Ａ）は筒体を前方から見た斜視図であり、（Ｂ）は筒体を後方から見た斜視図
【図５】（Ａ）は筒体の正面図であり、（Ｂ）は（Ａ）中Ｂ方向から見た筒体の端面図であり、（Ｃ）は（Ａ）中Ｃ方向から見た筒体の底面図であり、（Ｄ）は（Ａ）中Ｄ方向から見た側面図
【図６】従来のリモコン送信器の斜視図
【発明を実施するための形態】
【００１３】
（第１実施形態）
以下、本発明に係る第１実施形態のリモコン送信器について、図面を用いて説明する。
図１に示すように、本発明に係る第１実施形態のリモコン送信器１０は、箱状の本体２０を有しており、上面に操作面２１を有する。
本体２０は、例えば、断面矩形状を有するとともに、長手方向一端側の端面である送信方向前端面２２の厚さが、他端側である手元側端面２３の厚さに比して薄く形成されている。これにより、暗所でリモコン送信器１０をつかんだときに、容易に送信方向前方が認識される。
なお、本体２０の幅寸法を、送信方向前側と手元側とで変化させることも可能である。
【００１４】
操作面２１には、送信方向前側に液晶表示板２４が設けられ、中央部から手元側に操作部３０が設けられている。
操作部３０には、手元側に，照明器具（図示省略）の主光源を操作するための全灯ボタン３１，調光ボタン３２，明暗ボタン３３、消灯ボタン３４、おやすみタイマーボタン３５、常夜灯ボタン３６、チャンネルボタン３７等が配置されている。
これにより、例えば全灯ボタン３１を押して照明器具の主光源を全て点灯させたり、消灯ボタン３４を押して全ての主光源を消灯したり、明るさを調整したりすることができる。
【００１５】
また、後述する補助光源である手元灯５３を点灯あるいは消灯させる手元灯ボタン３８が設けられている。
さらに、操作面２１における送信方向前方側には、液晶表示板２４の近傍に、設定ボタン３９，時刻ボタン４１，るすばんボタン４２、エコナビボタン４３等が設けられている。
なお、上述した各スイッチやボタンは例示であり、これらに限るものではない。さらに、その他のスイッチ等を設けることもできる。
また、本体２０の下面には電池を収容する凹部（図示省略）が設けられており、凹部の開口を閉じる蓋４４が、着脱可能に設けられている。
【００１６】
図２に示すように、本体２０内部における送信方向前端部には、リモコン信号を発する送信部５０が設けられている。
図２（Ｂ）に示すように、送信部５０は、本体２０の送信方向前端面２２に露出して，送信方向前方へリモコン信号を発する一対の信号送信用光源である第１の信号送信用ＬＥＤ５１，５１を有する。
さらに、図２（Ａ）に示すように、送信部５０は、本体２０の上面である操作面２１に露出して、送信方向と直交する方向へ信号を発する一対の信号送信用光源である第２の信号送信用ＬＥＤ５２，５２を有する。
【００１７】
また、一対の第１の信号送信用ＬＥＤ５１，５１の間には、暗所でリモコン送信器１０を操作する際に、前述した手元灯ボタン３８を操作することにより、送信方向へ光を発する手元灯５３が送信方向前端面２２に露出して設けられている。
なお、第１の信号送信用ＬＥＤ５１，５１および手元灯５３は、送信方向前端面２２から外側に突出していない。同様に、第２の信号送信用ＬＥＤ５２，５２は操作面２１から上方に突出していない。
【００１８】
図２に示すように、第１の信号送信用ＬＥＤ５１，５１と手元灯５３との間には、手元灯５３の光が本体２０内部の送信部５０に漏れるのを防止する遮光壁５４が設けられている。
ここでは、遮光壁５４は、円筒部材を縦に割ったようなＵ字断面を有しており、内部に手元灯５３が含まれる。また、遮光壁５４は、少なくとも第１の信号送信用ＬＥＤ５１，５１と手元灯５３との間に介在している。
【００１９】
従って、遮光壁５４は送信方向前端面２２に開口しており，手元灯５３は送信方向へ光を照射可能であるとともに、手元灯５３の光が第１の信号送信用ＬＥＤ５１，５１に入射しないようになっている。
また、遮光壁５４の少なくとも内面は暗色とするのが望ましい。
従って、暗色の樹脂で遮光壁５４を形成することができるが、明色や透明な樹脂で遮光壁５４を形成して、内面および外面のうちの少なくとも一方を暗色に塗装等で処理することも可能である。
なお、遮光壁５４の形状は、上述したＵ字断面形状に限らず、手元灯５３と第１の信号送信用ＬＥＤ５１，５１との間を遮光できるものであればよい。
【００２０】
以上、説明した本発明に係る第１実施形態のリモコン送信器１０によれば、暗所にてリモコン送信器１０を操作する際に、本体２０の送信方向前端面２２に設けられた手元灯５３により送信目標を照らすことができる。そして、送信部５０の第１の信号送信用ＬＥＤ５１または第２の信号送信用ＬＥＤ５２によりリモコン信号を送信目標へ送信する。
この際、手元灯５３の周囲に設けられた遮光壁５４は、手元灯５３からの光が送信部５０に漏れるのを防止する。これにより、送信部５０の第１の信号送信用ＬＥＤ５１および第２の信号送信用ＬＥＤ５２を点灯させていないにもかかわらず、第１の信号送信用ＬＥＤ５１および第２の信号送信用ＬＥＤ５２が点灯しているように見える違和感を改善できる。
【００２１】
また、送信部５０の第１の信号送信用ＬＥＤ５１が本体２０の送信方向前端面２２に設けられ、第２の信号送信用ＬＥＤ５２が本体２０の上面である操作面２１に設けられているので、天井面等上方にある照明器具にリモコン信号を容易に送信できる。
【００２２】
さらに、遮光壁５４の内面および外面のうちの少なくとも一方を暗色にしたので、手元灯５３の光が遮光壁５４から漏れるのを効果的に防止できる。
【００２３】
（第２実施形態）
次に、本発明に係る第２実施形態のリモコン送信器１０Ｂを図３に示す。
なお、前述した第１実施形態にかかるリモコン送信器１０と共通する部位には同じ符号を付して、重複する説明を省略することとする。
【００２４】
図３に示すように、本発明に係る第２実施形態のリモコン送信器１０Ｂでは、遮光壁５４Ｂが、本体２０の送信方向前端面２２に開口し、内部に手元灯５３を収容する筒体５５である。
図４および図５に示すように、筒体５５は、円筒形状の筒体本体５５１を有し、前端には筒体本体５５１の周面に沿った一対のアーム部材５５２が周面から離れて設けられている。アーム部材５５２の先端には、前方に突出した突起５５３が設けられている。また、筒体本体５５１の後端部には、切欠５５４が設けられている。
【００２５】
アーム部材５５２は、基端部が筒体本体５５１に片持ち式で取り付けられており、図５（Ｂ）中、矢印Ａ方向へ弾性変形可能となっている。
従って、図３に示すように、本体２０に取り付けた際に、左右の第１の信号送信用ＬＥＤ５１、５１の間で均等な距離を保つとともに、弾性力により保持される。  
【００２６】
なお、筒体本体５５１の少なくとも内面および外面のうちの少なくとも一方は暗色とするのが望ましい。
従って、暗色の樹脂で筒体５５を形成することができるが、明色や透明な樹脂で筒体５５を形成して、筒体本体５５１の内面や外面を暗色に塗装等で処理することも可能である。
これにより、筒体５５は、手元灯５３の光を確実に遮光できる。
【００２７】
以上、説明した本発明に係る第２実施形態のリモコン送信器１０Ｂによれば、手元灯５３が筒体５５の内部に収容されているので、手元灯５３の光が筒体５５の外部に漏れるのを確実に防止できる。
これにより、手元灯５３の光が送信部５０および本体２０内部に透過することにより目立つのを防止できる。
【００２８】
なお、本発明のリモコン送信器１０，１０Ｂは、前述した各実施形態に限定されるものでなく、適宜な変形，改良等が可能である。
【符号の説明】
【００２９】
１０，１０Ｂ  リモコン送信器
２０  本体
２１  操作面（上面）
２２  送信方向前端面（端面）
５０  送信部
５１  第１の信号送信用ＬＥＤ（信号送信用光源）
５２  第２の信号送信用ＬＥＤ（信号送信用光源）
５３  手元灯（補助光源）
５４、５４Ｂ  遮光壁
５５  筒体
【図１】
0005884056.tif 000002
【図２】
0005884056.tif 000003
【図３】
0005884056.tif 000004
【図４】
0005884056.tif 000005
【図５】
0005884056.tif 000006
【図６】
0005884056.tif 000007